(57)【特許請求の範囲】
【請求項１】
液化天然ガス基地が備える貯蔵タンクに運輸装置から液化天然ガスを受け入れるための受入設備であって、
前記運輸装置内の液化天然ガスを加圧するための加圧用の液化天然ガスを収容する加圧用タンクと、
前記加圧用タンクの液相部と気相部とを接続する循環ラインと、
前記循環ライン上に設けられ、前記加圧用タンクの液相部から導かれた液化天然ガスを加圧蒸発させる加圧蒸発器と、
前記加圧用タンクの気相部から前記運輸装置に至る加圧ラインと、
前記運輸装置から前記貯蔵タンクに至る移送ラインと、
前記貯蔵タンクの液相部と前記加圧用タンクの液相部とを接続する供給ラインと、
前記貯蔵タンクの気相部と前記加圧用タンクの気相部とを接続する均圧ラインと、
前記加圧用タンクの気相部に接続され、当該タンク内の圧力をガスの排出により調整する圧力調整ラインと、
前記貯蔵タンクから前記加圧用タンクに前記加圧用の液化天然ガスが供給される際に、前記圧力調整ラインと前記均圧ラインとを連通する連通ラインと
を備え、
前記加圧用タンクは、前記貯蔵タンクよりも小さな容量を有し、前記運輸装置から前記貯蔵タンクへの液化天然ガスの移送に際し、前記貯蔵タンクから前記移送に必要な加圧用の液化天然ガスの供給を受けることを特徴とする液化天然ガスの受入設備。
【請求項２】
前記均圧ラインは、前記加圧用タンク側の開口端が前記加圧用タンクにおける前記加圧用の液化天然ガスの液面上限位置に配置されたことを特徴とする請求項１に記載の液化天然ガスの受入設備。
【請求項３】
前記加圧蒸発器は、前記加圧用の液化天然ガスが前記加圧用タンクの液化天然ガスとのヘッド圧の差により前記加圧タンクから供給されるように設けられることを特徴とする請求項１または請求項２に記載の液化天然ガスの受入設備。
【発明の詳細な説明】
【技術分野】
【０００１】
本発明は、ＬＮＧ（液化天然ガス）の小規模基地が備えるＬＮＧ貯蔵タンクにタンクローリー等の運搬装置からＬＮＧを受け入れるための受入設備に関する。特に、本発明のＬＮＧの受入設備は、いわゆる２口仕様のタンクローリーからのＬＮＧの受け入れに好適である。
【背景技術】
【０００２】
従来、ＬＮＧを最初に受け入れる１次受入基地から離れたＬＮＧの需要地には、比較的小規模なサテライト基地が設置されるのが一般的である。サテライト基地は、ＬＮＧを貯蔵するための貯蔵タンク及びこの貯蔵タンクへタンクローリー等からＬＮＧを受け入れるための受入設備を備えている。タンクローリーから貯蔵タンクへのＬＮＧの受け入れの際には、タンクローリー内のタンク圧力を比較的高く維持することが必要となるため、タンクローリーにはＬＮＧ加圧蒸発器等を搭載した自己加圧方式（１口仕様）のものが存在する。一方、近年のタンク容量の大型化の要求から、加圧蒸発器等を搭載せずにサテライト基地の受入設備に設けられたポンプやコンプレッサ等を利用してＬＮＧの移送を行う非自己加圧方式のタンクローリー（２口または３口仕様）が主流になりつつある。特に、２口仕様のタンクローリーは、３口仕様のものと比べて、ＬＮＧ貯槽との差圧をより安定的に保持可能であり、また、受け入れの操作性やその再現性もよいためより有力である。ＬＮＧの受け入れの際には、ＬＮＧ貯蔵タンク内の圧力を比較的低く維持することが必要となるため、サテライト基地の受入設備にはＢＯＧ（ボイルオフガス）を排出するためのコンプレッサ等が設けられる場合がある。
【０００３】
このようなサテライト基地等におけるＬＮＧの受け入れに関し、例えば、ＬＮＧ供給システムにおいて、ＬＮＧの貯蔵タンクにタンクローリーからＬＮＧを受け入れる際に、ＬＮＧ貯蔵タンクから排出されるＢＯＧ（ボイルオフガス）をタンクローリーに供給することで、ＬＮＧ貯蔵タンク内の圧力を低下させるとともにタンクローリー内の圧力を増大させ、その後、ローリ用の加圧器によりタンクローリー内のＬＮＧを昇圧してこのＬＮＧを貯蔵タンクに供給するようにしたものが知られている（特許文献１参照）。
【特許文献１】特開平２００７−１３２４９０号公報
【発明の開示】
【発明が解決しようとする課題】
【０００４】
上記従来技術では、ＬＮＧ貯蔵タンク内の圧力を低下させるために排出するＢＯＧをタンクローリーの昇圧に用いるので、ＢＯＧを有効利用してＬＮＧ貯蔵タンク及びタンクローリーの圧力を一時的に調節することが可能となる。しかしながら、その後のタンクローリーからＬＮＧ貯蔵タンクへのＬＮＧの供給にはローリ用の加圧器（ＬＮＧ用低温ポンプ等）を必要とするため、設備コストが嵩み、また、加圧器の電力消費によりランニングコストも大きくなり、さらに、受け入れ時には加圧器周辺の配管のクールダウンやガス抜き等の操作が必要となるという課題があった。
【０００５】
また、上記従来技術ではサテライト基地が２基のＬＮＧ貯蔵タンクを備えるが、そのような場合、上記加圧器を用いずに、一方のＬＮＧ貯蔵タンクの圧力を増大させてタンクローリーの加圧に用い、他方のＬＮＧ貯蔵タンクの圧力を低下させてＬＮＧを受け入れる方法も考えられる。しかしながら、この場合、２基のＬＮＧ貯蔵タンクはともに加圧用として利用できるように耐圧性能を高める必要が生じるため、設備コストが嵩むという課題があった。また、タンクローリーからのＬＮＧの受け入れの頻度が高くなると、受け入れ側と加圧側との切り替え（加圧及び脱圧）を短時間で行う必要が生じ、運転操作が複雑になるという課題もあった。さらに、より小規模で１基のＬＮＧ貯蔵タンクのみを備えたサテライト基地には適用できず、従来、１基のＬＮＧ貯蔵タンクを使用する場合は、タンクローリーにローリー加圧用の加圧蒸発器を搭載し、ＬＮＧの受け入れを行っていた。しかし、タンクローリーに加圧タンクを搭載することにより、ＬＮＧの積載容量が制限され、また、高圧ガス免許所得者を同乗させることが義務づけられていた。
【０００６】
本発明は、このような従来技術の問題点を解消するべく案出されたものであり、その目的は、ＬＮＧの小規模基地において、非自己加圧方式の運搬装置（タンクローリー等）からＬＮＧ貯蔵タンクへのＬＮＧの受け入れを簡易な設備で安価に行うことができるＬＮＧの受入設備を提供することにある。
【課題を解決するための手段】
【０００７】
上記課題を解決するためになされた第１の発明は、ＬＮＧ基地が備える貯蔵タンクに運輸装置からＬＮＧを受け入れるための受入設備であって、前記運輸装置内のＬＮＧを加圧するための加圧用のＬＮＧを収容する加圧用タンクと、前記加圧用タンクの液相部と気相部とを接続する循環ラインと、前記循環ライン上に設けられ、前記加圧用タンクの液相部から導かれたＬＮＧを加圧蒸発させる加圧蒸発器と、前記加圧用タンクの気相部から前記運輸装置に至る加圧ラインと、前記運輸装置から前記貯蔵タンクに至る移送ラインと、前記加圧用タンクと前記貯蔵タンクとを接続するタンク接続ラインとを備え、前記加圧用タンクは、前記貯蔵タンクよりも小さな容量を有し、前記運輸装置から前記貯蔵タンクへのＬＮＧの移送に際し、前記貯蔵タンクから前記移送に必要な加圧用のＬＮＧの供給を受ける構成とする。
【０００８】
これによると、ＬＮＧの小規模基地において、非自己加圧方式の運搬装置（タンクローリー等）から貯蔵タンクへのＬＮＧの受け入れを、運搬装置内のＬＮＧを加圧するためのブースタ（ポンプ、コンプレッサ等）を用いることなく簡易な設備で安価に行うことができる。
【０００９】
上記課題を解決するためになされた第２の発明は、前記タンク接続ラインは、前記貯蔵タンクの液相部と前記加圧用タンクの液相部とを接続する供給ラインと、前記貯蔵タンクの気相部と前記加圧用タンクの気相部とを接続する均圧ラインとを含み、前記加圧用タンクは、前記加圧用のＬＮＧが前記貯蔵タンクのＬＮＧとのヘッド圧の差により前記貯蔵タンクから供給されるように設けられた構成とすることができる。
【００１０】
これによると、ポンプ等の輸送装置を必要とせずに、ＬＮＧを貯蔵タンクから加圧用タンクに容易に供給することができる。
【００１１】
上記課題を解決するためになされた第３の発明は、前記均圧ラインは、前記加圧用タンク側の開口端が前記加圧用タンクにおける前記加圧用のＬＮＧの液面上限位置に配置された構成とすることができる。
【００１２】
これによると、加圧用タンク内のＬＮＧの液面が予め設定した上限位置を越えることを防止できるので、液面の位置（即ち、加圧用のＬＮＧの容量）を調節するための装置（例えば、液面調節器）や操作（例えば、所望の液面位置を維持するための調整弁の開閉）を必要とせずに、加圧用タンクに必要な量のＬＮＧを供給することができる。
【００１３】
上記課題を解決するためになされた第４の発明は、前記加圧用タンクの気相部に接続され、当該タンク内の圧力をガスの排出により調整する圧力調整ラインと、前記貯蔵タンクから前記加圧用タンクに前記加圧用のＬＮＧが供給される際に、前記圧力調整ラインと前記均圧ラインとを連通する連通ラインとを更に備えた構成とすることができる。
【００１４】
これによると、加圧用タンクにＬＮＧが供給される際に、当該タンク内のガスを、少なくとも一時的に貯蔵タンクよりも圧力の低い圧力調整ラインに排出することが可能となり、ＬＮＧの供給をより速やかに行うことができる。
【００１５】
上記課題を解決するためになされた第５の発明は、前記加圧蒸発器は、前記加圧用のＬＮＧが、前記加圧用タンクのＬＮＧとのヘッド圧の差により前記加圧タンクから供給されるように設けられる構成とすることができる。
【００１６】
これによると、ポンプ等の輸送装置を必要とせずに、ＬＮＧを加圧用タンクから加圧蒸発器に容易に供給することができる。
【発明の効果】
【００１８】
このように本発明は、ＬＮＧの小規模基地において、非自己加圧方式の運搬装置（タンクローリー等）からＬＮＧ貯蔵タンクへのＬＮＧの受け入れを、運搬装置内のＬＮＧを加圧するためのブースタを用いることなく簡易な設備で安価に行うことができるという優れた効果を奏するものである。
【発明を実施するための最良の形態】
【００１９】
以下、本発明の実施の形態を、図面を参照しながら説明する。
【００２０】
図１は、本発明に係るＬＮＧの受入設備を備えたサテライト基地を模式的に示す構成図である。このサテライト基地１は、ＬＮＧの１次受入基地から離れたＬＮＧの需要地に設けられる比較的小規模な受入基地であり、ＬＮＧを貯蔵するためのＬＮＧ貯蔵タンク２と、ＬＮＧ貯蔵タンク２からＬＮＧを払出先（需要家）に払い出すための払出設備３と、ＬＮＧ貯蔵タンク２にタンクローリー４からＬＮＧを受け入れるための受入設備５とを主として備える。
【００２１】
ＬＮＧ貯蔵タンク２は、ＬＮＧの保冷機能を有する周知のＬＮＧ貯槽である。ＬＮＧ貯蔵タンク２は、容器形式（縦置型または横置型）を問わないが、縦置型とすることで、後述するように容量が小さい加圧用タンクとの間で容易にヘッド圧の差（液面の高さの差）を生じさせることができ、加圧用タンクへのＬＮＧの供給が容易となるという利点がある。
【００２２】
払出設備３は、ＬＮＧ貯蔵タンク２の気相部Ｇ１から払出先に向かう配管からなるＢＯＧ（ボイルオフガス）ライン１１と、このＢＯＧライン１１上に設けられたＢＯＧ加温器１２と、ＬＮＧ貯蔵タンク２の液相部Ｌ１から払出先に向かう配管からなる払出ライン１３と、この払出ライン１３上に設けられたＬＮＧ気化器１４とを有する。この払出設備３により、ＬＮＧ貯蔵タンク２で発生したＢＯＧはＢＯＧ加温器１２により昇温された後に払出先に向けて送られ、また、ＬＮＧ貯蔵タンク２に貯蔵されるＬＮＧはＬＮＧ気化器１４で気化された後に払出先に向けて送られる。
【００２３】
タンクローリー４は、１次受入基地からサテライト基地１へＬＮＧを運搬するためのタンク１５を備えた周知の運輸装置である。タンクローリー４は、タンク１５内のＬＮＧを加圧するための手段（加圧蒸発器等）を搭載しておらず、後述するように、受入設備５からの加圧によりタンク１５内のＬＮＧがＬＮＧ貯蔵タンク２へ移送される。なお、ＬＮＧの運搬に用いる運輸装置としては、必ずしもタンクローリーに限定されず、同様の運搬機能を備えた他の車両や船舶等でもよい。
【００２４】
受入設備５は、タンクローリー４内のＬＮＧの加圧に用いる加圧用のＬＮＧを収容する加圧用タンク２１と、この加圧用タンク２１の液相部Ｌ２と気相部Ｇ２とを接続する配管からなる循環ライン２２と、この循環ライン２２上に設けられた加圧蒸発器２３と、循環ライン２２を介して加圧用タンク２１の気相部Ｇ２からタンクローリー４に至る配管からなる加圧ライン２４と、タンクローリー４からＬＮＧ貯蔵タンク２に至る配管からなる移送ライン２５と、加圧用タンク２１の液相部Ｌ２とＬＮＧ貯蔵タンク２の液相部Ｌ１とを接続する配管からなる供給ライン２６と、加圧用タンク２１の気相部Ｇ２とＬＮＧ貯蔵タンク２の気相部Ｇ１とを接続する配管からなる均圧ライン２７と、加圧用タンク２１の気相部Ｇ２から払出設備３のＢＯＧライン１１に至る配管からなる圧力調整ライン２８とを有する。
【００２５】
加圧用タンク２１は、例えば、二重殻真空断熱式の貯槽からなり、ＬＮＧ貯蔵タンクの容量（例えば、１５０キロリットル）に比べて非常に小さな容量（例えば、１キロリットル）を有する。この加圧用タンク２１の容量は、１台のタンクローリー４からＬＮＧ貯蔵タンク２へのＬＮＧの受け入れに必要な容量の加圧用のＬＮＧを収容可能な大きさに設定することができ、このように加圧用タンク２１を必要最小限の容量とすることで設備コストを大幅に低減することができる。また、加圧用タンク２１は、図示しない架台によりＬＮＧ貯蔵タンク２の位置（例えば、頂部が地上２０ｍの高さ）よりも低い位置（例えば、頂部が地上５ｍの高さ）で支持されている。これにより、後述するようなＬＮＧ貯蔵タンク２とのヘッド圧の差によるＬＮＧ貯蔵タンク２から加圧用タンク２１へのＬＮＧの供給が可能となる。
【００２６】
循環ライン２２は、加圧用タンク２１の底部から加圧蒸発器２３に至る上流部３３と、加圧蒸発器２３から加圧用タンク２１の頂部に至る下流部３２とからなる。加圧蒸発器２３は、空温式気化器からなり、加圧用タンク２１と加圧蒸発器２３とのヘッド圧の差（液面の高低差）により循環ライン２２の上流部３３から導かれたＬＮＧを加圧蒸発させて下流部３２に送る。下流部のＮＧ（気化ガス）は再び加圧用タンク２１に戻され、このＮＧの循環により加圧用タンク２１内が昇圧される。加圧蒸発器２３は加圧用タンク２１よりも低い位置に配置されており、加圧用タンク２１内のＬＮＧは、そのヘッド圧によって加圧蒸発器２３に供給される。このような構成により、加圧蒸発器２３は、ポンプ等の装置及びそれが消費する電力を必要とすることなく加圧用タンク２１のＬＮＧを昇圧する機構となっている。加圧用タンク２１内の圧力は圧力調整器ＰＣによって監視される。
【００２７】
また、循環ライン２２の下流部３２には加圧ライン２４が接続されており、この加圧ライン２４はタンクローリー４のタンク１５の上部に設けられた加圧用接続口に至る。なお、加圧ライン２４は、少なくとも昇圧された加圧用タンク２１のＮＧをタンクローリー４に導ければよく、例えば、循環ライン２２（下流部３２）を介さずに、加圧用タンク２１の気相部Ｇ２とタンク１５の加圧用接続口とを直接接続するように配置してもよい。
【００２８】
移送ライン２５は、タンクローリー４のタンク１５の下部に設けられた移送用接続口からＬＮＧ貯蔵タンク２の気相部Ｇ１及び液相部Ｌ１に至る。
【００２９】
供給ライン２６は、ＬＮＧ貯蔵タンク２内のＬＮＧと加圧用タンク２１内のＬＮＧとのヘッド圧の差（液面の高低差）により、ＬＮＧ貯蔵タンク２のＬＮＧを加圧用タンク２１に供給するためのものである。このＬＮＧの供給時には、均圧ライン２７によりＬＮＧ貯蔵タンク２及び加圧用タンク２１内の圧力が均一に維持される。
【００３０】
次に、上記サテライト基地１において、ＬＮＧ貯蔵タンク２にタンクローリー４からＬＮＧを受け入れる方法の詳細について説明する。ＬＮＧの受け入れの際には、ＬＮＧ貯蔵タンク２からのＬＮＧ供給による加圧用タンク２１の充填（準備モード）と、加圧蒸発器２３による加圧用タンク２１の昇圧（昇圧モード）と、タンクローリー４からＬＮＧ貯蔵タンク２へのＬＮＧの移送（移送モード）と、移送完了後のタンクローリー４等の圧力の開放（終了モード）との４つの動作モードが順次実行される。
【００３１】
図２は、図１に示したＬＮＧの受入設備で実行される準備モードの説明図である。準備モードを実行する場合、供給ライン２６上の開閉弁４１及び均圧ライン２７上の開閉弁４２，４３を開とし、循環ライン２２上の開閉弁４４，４５及びＢＯＧライン１１上の調整弁４６を閉とした状態で、供給ライン２６上の開閉弁４７及び均圧ライン２７上の開閉弁４８を開放する。これら各弁の操作は、図示しない制御装置からの指示に基づく電動または流体圧作動により、或いは、オペレータの手動により実行される（以下、他の動作モードの場合も同様）。これにより、ＬＮＧ貯蔵タンク２内のＬＮＧがヘッド圧の差により供給ライン２６を介して加圧用タンク２１に流れ込み、後述する移送モードの実行に必要な加圧用のＬＮＧとして充填される（図２中、矢印付き太実線を参照）。このとき、液面計ＬＧによって表示される加圧用タンク２１内のＬＮＧの液面レベルは、下限位置Ｌから上限位置Ｈまで上昇する。また、加圧用タンク２１内の圧力は、タンク２１内のガスが均圧ライン２７によってＬＮＧ貯蔵タンク２に流入することで、ＬＮＧ貯蔵タンク２と同程度（例えば、０．３ＭＰａ）に維持される（図２中、矢印付き太破線を参照）。
【００３２】
ここで、均圧ライン２７における加圧用タンク２１側の配管は、タンク頂部からタンク内に挿入されて下方に延び、その開口端がタンク２１内のＬＮＧの上限位置Ｈと一致するように配置されている。このような構成により、加圧用タンク２１の上限位置Ｈまで達したＬＮＧは均圧ライン２７を介して再びＬＮＧ貯蔵タンク２側に戻されることとなり、液面が上限位置を越えることを容易に防止することができる。即ち、液面の位置（即ち、加圧用のＬＮＧの容量）を調節するための装置（例えば、液面調節器）や操作（例えば、所望の液面位置を維持するための調整弁の開閉）を必要とせずに、加圧用タンク２１に必要な量のＬＮＧを充填することができる。
【００３３】
また、均圧ライン２７と圧力調整ライン２８との間には連通ライン５２が設けられており、弁４９の開放によりそれらを連通することが可能となっている。上述の準備モードを実行する場合には、少なくとも一時的に弁４９を開放することで、加圧用タンク２１内のガスを均圧ライン２７から連通ライン５２を介して、ＬＮＧ貯蔵タンク２よりも低い圧力（例えば、０．１ＭＰａ）となっている圧力調整ライン２８に導くことが可能である（図２中、矢印付き太二点鎖線を参照）。このように、加圧用タンク２１内のガスを圧力調整ライン２８に導くことで、上述のようなタンク２１内のガスをＬＮＧ貯蔵タンク２に流入させる場合に比べて、ＬＮＧ貯蔵タンク２から加圧用タンク２１へのＬＮＧの供給をより速やかに行うことができる。なお、圧力調整ライン２８に導かれた加圧用タンク２１内のガスは、ＢＯＧ加温器１２により昇温された後に払出先に向けて送られる。
【００３４】
図３は、図１に示したＬＮＧの受入設備で実行される昇圧モードの説明図である。上記準備モードにより加圧用タンク２１へのＬＮＧの充填が完了すると、続いて昇圧モードが実行される。昇圧モードを実行する場合、供給ライン２６上の開閉弁４７及び均圧ライン２７上の開閉弁４８を閉とした状態で、循環ライン２２上の開閉弁４４，４５を開放する。これにより、加圧用タンク２１のＬＮＧがそのヘッド圧により循環ライン２２の上流部３３を介して加圧蒸発器２３に供給され、発生した気化ガスが下流部３２を介して再び加圧用タンク２１に戻されて循環される（図３中、矢印付き太実線を参照）。このとき、加圧用タンク２１内の圧力は、ＬＮＧ貯蔵タンク２と同様（例えば、０．３ＭＰａ）の圧力から後の移送モードの実行に必要な設定圧力（例えば、０．６ＭＰａ）まで昇圧される。加圧用タンク２１内の圧力が設定圧力に達した後は、圧力調整器ＰＣで圧力調整ライン２８上の圧力調整弁５１を制御することにより圧力が適切に維持される。このような昇圧操作は、次の移送モードに移行しても継続して実行される。
【００３５】
また、この昇圧モードを実行する場合には、タンクローリー４のタンク１５の気相部から移送ライン２５に至るバイパスライン５２を設けて移送ライン２５上の開閉弁５３を閉止し、加圧ライン２４上の開閉弁５４及び移送ライン２５上の開閉弁５５を開放することで、循環ライン２２からタンクローリー４を介してＬＮＧ貯蔵タンク２までのラインを連通させることができる。これにより、昇圧モードにおいて、循環ライン２２の低温ガスを加圧ライン２４及び移送ライン２５に流して配管のクールダウンを行うことができる。なお、弁５４，５５は自動弁または手動弁のいずれでもよい。
【００３６】
図４は、図１に示したＬＮＧの受入設備で実行される移送モードの説明図である。上記昇圧モードにより加圧用タンク２１の昇圧と移送ライン２５のクールダウンが完了すると、続いて移送モードが実行される。移送モードを実行する場合、移送ライン２５上の開閉弁４３，５０，５３，５５及び加圧ライン２４上の開閉弁５６を開とした状態で、加圧ライン２４上の開閉弁５４を開放する。これにより、昇圧された加圧用タンク２１のＮＧ（例えば、０．６ＭＰａの圧力の気化ガス）が加圧ライン２４を介してタンク１５に流入し（図４中、矢印付き太実線を参照）、タンク１５内の気相部を加圧して移送ライン２５に送り出す（図４中、矢印付き太破線を参照）。この加圧用タンク２１のＮＧによる加圧は、タンク１５内の全てのＬＮＧが移送ライン２５を介してＬＮＧ貯蔵タンク２に移送されるまで継続される。このとき、タンクローリ４のタンク１５内のＬＮＧの液量が少量となった場合には、加圧ライン２４上の弁４５及び弁５６を閉じて加圧を停止し、タンク１５内の残圧によって残りのＬＮＧをＬＮＧ貯蔵タンク２へ移送することができる。ＬＮＧの移送が完了した後は、タンクローリ４のタンク１５とＬＮＧ貯蔵タンク２の気相部を均圧させることでタンク１５内の圧力を適切な値まで下げることができる。
【００３７】
なお、タンクローリ４からＬＮＧ貯蔵タンク２へのＬＮＧの移送は、弁４３側または弁５０側のいずれか一方のライン、または、双方のラインを通して行うことができる。このとき、弁５０の開度を調整することでＬＮＧ貯蔵タンク２内の圧力を調整することが可能である。この場合、弁５０の開度の調節により、弁４３側のＬＮＧ流量を増大させることでＬＮＧ貯蔵タンク２内の圧力を低下させることができ、一方、弁５０側のＬＮＧ流量を増大させることでＬＮＧ貯蔵タンク２内の圧力を上昇させることができる。
【００３８】
図５は、図１に示したＬＮＧの受入設備で実行される終了モードの説明図である。上記移送モードによりタンクローリー４からＬＮＧ貯蔵タンク２へのＬＮＧの移送が完了すると、続いて終了モードが実行される。このとき、加圧用タンク２１は略空の状態であり、ＬＮＧの液面は下限位置Ｌにある。終了モードを実行する場合、循環ライン２２上の開閉弁４４及び移送ライン２５上の開閉弁５５を閉とした状態で、圧力調整弁５１を開放する。これにより、タンクローリー４のタンク１５は、加圧ライン２４、循環ライン２２の下流部３２、加圧用タンク２１、圧力調整ライン２８、及びＢＯＧライン１１と連通される。これにより、それらのラインを通してタンク１５内の残留ガスを逃がし（図５中、矢印付き太実線を参照）、タンクローリー４のタンク１５内の圧力を適切な値（例えば、０．３ＭＰａ）まで低下させることができる。なお、図５に示した残留ガスの逃がし経路の代わりに、加圧ライン２４からＢＯＧ加温器１２の上流側に至る新たなルートを設けてもよい。
【００３９】
このように各動作モードを順次実行することで、タンクローリー４からＬＮＧ貯蔵タンク２へのＬＮＧの受け入れを実行することができる。なお、上記準備モードは、通常は、タンクローリー４からＬＮＧ貯蔵タンク２へのＬＮＧの受け入れが必要となった場合に実行することができるが、場合によっては、準備モードを終了モードの直後に実行して加圧用タンク２１を充填しておくこともできる。これにより、使用する配管等のクールダウンを再度行う必要もなくなり、また、ＬＮＧ貯蔵タンク２内のＬＮＧが全て払い出された場合でも次のタンクローリー４からＬＮＧを受け入れることができるという利点がある。
【図面の簡単な説明】
【００４０】
【図１】本発明に係るＬＮＧの受入設備を備えたサテライト基地の構成図
【図２】図１のＬＮＧの受入設備で実行される準備モードの説明図
【図３】図１のＬＮＧの受入設備で実行される昇圧モードの説明図
【図４】図１のＬＮＧの受入設備で実行される移送モードの説明図
【図５】図１のＬＮＧの受入設備で実行される終了モードの説明図
【符号の説明】
【００４１】
１  サテライト基地
２  ＬＮＧ貯蔵タンク
３  払出設備
４  タンクローリー
５  受入設備
２１  加圧用タンク
２２  循環ライン
２３  加圧蒸発器
２４  加圧ライン
２５  移送ライン
２６  供給ライン
２７  均圧ライン
Ｇ１，Ｇ２  気相部
Ｌ１，Ｌ２  液相部
【図１】
0005077881.tif 000002
【図２】
0005077881.tif 000003
【図３】
0005077881.tif 000004
【図４】
0005077881.tif 000005
【図５】
0005077881.tif 000006